(57)【要約】【課題】通信端末装置と他の通信端末装置とを近距離通信を介して接続する場合に、事前に特別な操作を行うことなくしてそれらの接続を確立できるようにする。【解決手段】腕時計１は、その移動検出部１７が腕時計１の移動開始を検出すると、近距離通信部１８を駆動させ、近距離通信を介して携帯電話機（他の通信端末装置）２との接続の準備を行ったのち、その接続準備が完了したか否かを判別し、接続準備が完了した場合に、当該接続を確立する。この場合、腕時計１は、その識別情報の発信を接続の準備として行い、この識別情報が携帯電話機２に受信されることによって当該携帯電話機２から近距離通信の接続許可が返信された場合に、この接続許可の返信を条件に接続準備が完了したと判別して当該接続を確立する。【選択図】  図１
2010258561.tif 000002
【特許請求の範囲】
【請求項１】
近距離通信を行う通信機能を備えた通信端末装置であって、
当該通信端末装置の状態の変化を検出する検出手段と、
この検出手段によって状態の変化が検出された場合に、前記近距離通信を介して他の通信端末装置との接続を準備する接続準備手段と、
この接続準備手段によって前記他の通信端末装置との接続準備が完了したか否かを判別する判別手段と、
この判別手段によって前記他の通信端末装置との接続準備が完了したと判別された場合に、当該接続を確立する接続手段と、
を具備したことを特徴とする通信端末装置。
【請求項２】
前記接続準備手段は、当該通信端末装置の識別情報の発信を接続の準備として行い、
前記判別手段は、前記接続準備手段によって発信された識別情報が前記他の通信端末装置に受信されることによって前記他の通信端末装置から前記近距離通信の接続許可が返信された場合に、この接続許可を条件に接続準備が完了したと判別する、
ようにしたことを特徴とする請求項１記載の通信端末装置。
【請求項３】
前記接続準備手段は、前記通信機能による前記近距離通信が可能状態にあることを示す通知情報の発信を接続の準備として行い、
前記判別手段は、前記接続準備手段によって発信された通知情報が前記他の通信端末装置に受信されることによって前記他の通信端末装置から発信された識別信号の送信要求に応答して当該通信端末装置の識別信号を発信した後、前記他の通信端末装置から前記近距離通信の接続許可が返信された場合に、この接続許可を条件に接続準備が完了したと判別する、
ようにしたことを特徴とする請求項１記載の通信端末装置。
【請求項４】
前記検出手段は、当該通信端末装置の移動をその状態の変化として検出する、
ようにしたことを特徴とする請求項１〜３いずれか記載の通信端末装置。
【請求項５】
前記検出手段は、当該通信端末装置の人体への装着をその状態の変化として検出する、
ようにしたことを特徴とする請求項１〜３いずれか記載の通信端末装置。
【請求項６】
前記検出手段は、当該通信端末装置の人体への装着をその状態の変化として検出する以外に、当該通信端末装置の人体からの装着の解除をその状態の変化として検出し、
前記接続手段は、前記他の通信端末装置との接続が確立されている状態で、前記検出手段によって当該通信端末装置の人体からの装着が解除されたことが検出された場合に、前記確立されている接続を切断する、
ようにしたことを特徴とする請求項５記載の通信端末装置。
【請求項７】
近距離通信を行う通信機能を備えた通信端末装置であって、
前記近距離通信を介して当該通信端末装置との接続を許可する他の通信端末装置に対応してその識別情報を記憶する記憶手段と、
前記他の通信端末装置の状態が変化に応じて前記他の通信端末装置から発信された情報を受信する受信手段と、
この受信手段によって受信された情報が前記他の通信端末装置の識別情報であれば、この識別情報と前記記憶手段に記憶されている識別情報とが合致するか否かを判別する判別手段と、
この判別手段によって両識別情報が合致すると判別された場合に、前記近距離通信を介して前記他の通信端末装置との接続を確立する接続手段と、
を具備したことを特徴とする通信端末装置。
【請求項８】
当該通信端末装置の移動を検出する移動検出手段を更に備え、
前記受信手段は、前記移動検出手段によって当該通信端末装置の移動が検出された場合に、前記他の通信端末装置の識別情報を受信する動作を行う、
ようにしたことを特徴とする請求項７記載の通信端末装置。
【請求項９】
前記受信手段によって受信された情報が、前記通信機能による前記近距離通信が可能状態にあることを示す通知情報であれば、前記他の通信端末装置に対してその識別情報の送信を要求する送信要求手段を更に備え、
前記判別手段は、前記送信要求手段による送信要求に対して前記他の通信端末装置から発信された識別情報を受信した場合に、この受信した識別情報と前記記憶手段に記憶されている識別情報とが合致するか否かを判別する、
ようにしたことを特徴とする請求項７記載の通信端末装置。
【請求項１０】
コンピュータに対して、
近距離通信を行う通信機能を備えた通信端末装置で実行されるプログラムであって、
当該通信端末装置の状態の変化を検出する機能と、
当該通信端末装置の状態の変化が検出された場合に、前記近距離通信を介して他の通信端末装置との接続を準備する機能と、
前記他の通信端末装置との接続準備が完了したか否かを判別する機能と、
前記他の通信端末装置との接続準備が完了したと判別された場合に、当該接続を確立する機能と、
を実現させるためのプログラム。
【請求項１１】
コンピュータに対して、
近距離通信を行う通信機能を備えた通信端末装置で実行されるプログラムであって、
当該通信端末装置との接続を許可する他の通信端末装置に対応してその識別情報を記憶管理する機能と、
前記他の通信端末装置の状態が変化に応じて前記他の通信端末装置から発信された情報を受信する機能と、
前記受信された情報が前記他の通信端末装置の識別情報であれば、この識別情報と前記記憶手段に記憶されている識別情報とが合致するか否かを判別する機能と、
前記両識別情報が合致すると判別された場合に、前記近距離通信を介して前記他の通信端末装置との接続を確立する機能と、
を実現させるためのプログラム。
【発明の詳細な説明】
【技術分野】
【０００１】
本発明は、近距離通信を行う通信機能を備えた通信端末装置及びプログラムに関する。
【背景技術】
【０００２】
従来、通信端末装置が他の通信端末装置に対して情報を送信する技術として、例えば、携帯電話機で音声通話の着信通知などの各種情報を、近距離通信を介してユーザが装着している腕時計（他の通信端末装置）に送信して腕時計側に表示させることが可能となっているが、腕時計は、ファッションや使用目的などに応じて複数個所有して使い分けることが多いため、使用する腕時計を変える毎に、携帯電話との接続を設定しなければならなかった。そこで、従来では、無線通信端末の組み合わせを記述したリストの中から選択した組み合わせの無線通信端末同士を接続することによって、その接続に要する時間を短縮するようにした技術が開示されている（特許文献１参照）。
【先行技術文献】
【特許文献】
【０００３】
【特許文献１】特開２００５−２１７４６３号公報
【発明の概要】
【発明が解決しようとする課題】
【０００４】
しかしながら、上述した先行技術にあっても組み合わせリストの中から所望する組み合わせを選択する操作を必要としそれだけユーザに負担をかけるほか、その選択を間違えるおそれもあるために、より手間をかけることなく、使用する腕時計と携帯電話機とを簡単に接続できる技術が望まれる。
【０００５】
本発明の課題は、通信端末装置と他の通信端末装置とを近距離通信を介して接続する場合に、事前に特別な操作を行うことなくそれらの接続を確立できるようにすることである。
【課題を解決するための手段】
【０００６】
上述した課題を解決するために請求項１記載の発明は、近距離通信を行う通信機能を備えた通信端末装置であって、当該通信端末装置の状態の変化を検出する検出手段と、この検出手段によって状態の変化が検出された場合に、前記近距離通信を介して他の通信端末装置との接続を準備する接続準備手段と、この接続準備手段によって前記他の通信端末装置との接続準備が完了したか否かを判別する判別手段と、この判別手段によって前記他の通信端末装置との接続準備が完了したと判別された場合に、当該接続を確立する接続手段と、を具備したことを特徴とする。
【０００７】
請求項１に従属する発明として、前記接続準備手段は、当該通信端末装置の識別情報の発信を接続の準備として行い、前記判別手段は、前記接続準備手段によって発信された識別情報が前記他の通信端末装置に受信されることによって前記他の通信端末装置から前記近距離通信の接続許可が返信された場合に、この接続許可を条件に接続準備が完了したと判別する、ようにしたことを特徴とする請求項２記載の発明であってもよい。
【０００８】
請求項１に従属する発明として、前記接続準備手段は、前記通信機能による前記近距離通信が可能状態にあることを示す通知情報の発信を接続の準備として行い、前記判別手段は、前記接続準備手段によって発信された通知情報が前記他の通信端末装置に受信されることによって前記他の通信端末装置から発信された識別信号の送信要求に応答して当該通信端末装置の識別信号を発信した後、前記他の通信端末装置から前記近距離通信の接続許可が返信された場合に、この接続許可を条件に接続準備が完了したと判別する、ようにしたことを特徴とする請求項３記載の発明であってもよい。
【０００９】
請求項１〜３いずれかに従属する発明として、前記検出手段は、当該通信端末装置の移動をその状態の変化として検出する、ようにしたことを特徴とする請求項４記載の発明であってもよい。
【００１０】
請求項１〜３いずれかに従属する発明として、前記検出手段は、当該通信端末装置の人体への装着をその状態の変化として検出する、ようにしたことを特徴とする請求項５記載の発明であってもよい。
【００１１】
請求項５に従属する発明として、前記検出手段は、当該通信端末装置の人体への装着をその状態の変化として検出する以外に、当該通信端末装置の人体からの装着の解除をその状態の変化として検出し、前記接続手段は、前記他の通信端末装置との接続が確立されている状態で、前記検出手段によって当該通信端末装置の人体からの装着が解除されたことが検出された場合に、前記確立されている接続を切断する、ようにしたことを特徴とする請求項６記載の発明であってもよい。
【００１２】
また、上述した課題を解決するために請求項７記載の発明は、近距離通信を行う通信機能を備えた通信端末装置であって、前記近距離通信を介して当該通信端末装置との接続を許可する他の通信端末装置に対応してその識別情報を記憶する記憶手段と、前記他の通信端末装置の状態が変化に応じて前記他の通信端末装置から発信された情報を受信する受信手段と、この受信手段によって受信された情報が前記他の通信端末装置の識別情報であれば、この識別情報と前記記憶手段に記憶されている識別情報とが合致するか否かを判別する判別手段と、この判別手段によって両識別情報が合致すると判別された場合に、前記近距離通信を介して前記他の通信端末装置との接続を確立する接続手段と、を具備したことを特徴とする。
【００１３】
請求項７に従属する発明として、当該通信端末装置の移動を検出する移動検出手段を更に備え、前記受信手段は、前記移動検出手段によって当該通信端末装置の移動が検出された場合に、前記他の通信端末装置の識別情報を受信する動作を行う、ようにしたことを特徴とする請求項８記載の発明であってもよい。
【００１４】
請求項７に従属する発明として、前記受信手段によって受信された情報が、前記通信機能による前記近距離通信が可能状態にあることを示す通知情報であれば、前記他の通信端末装置に対してその識別情報の送信を要求する送信要求手段を更に備え、前記判別手段は、前記送信要求手段による送信要求に対して前記他の通信端末装置から発信された識別情報を受信した場合に、この受信した識別情報と前記記憶手段に記憶されている識別情報とが合致するか否かを判別する、ようにしたことを特徴とする請求項９記載の発明であってもよい。
【００１５】
また、上述した課題を解決するために請求項１０記載の発明は、コンピュータに対して、近距離通信を行う通信機能を備えた通信端末装置で実行されるプログラムであって、当該通信端末装置の状態の変化を検出する機能と、当該通信端末装置の状態の変化が検出された場合に、前記近距離通信を介して他の通信端末装置との接続を準備する機能と、前記他の通信端末装置との接続準備が完了したか否かを判別する機能と、前記他の通信端末装置との接続準備が完了したと判別された場合に、当該接続を確立する機能と、を実現させることを特徴とする。
【００１６】
また、上述した課題を解決するために請求項１１記載の発明は、コンピュータに対して、近距離通信を行う通信機能を備えた通信端末装置で実行されるプログラムであって、当該通信端末装置との接続を許可する他の通信端末装置に対応してその識別情報を記憶管理する機能と、前記他の通信端末装置の状態が変化に応じて前記他の通信端末装置から発信された情報を受信する機能と、前記受信された情報が前記他の通信端末装置の識別情報であれば、この識別情報と前記記憶手段に記憶されている識別情報とが合致するか否かを判別する機能と、前記両識別情報が合致すると判別された場合に、前記近距離通信を介して前記他の通信端末装置との接続を確立する機能と、を実現させることを特徴とする。
【発明の効果】
【００１７】
本発明によれば、通信端末装置と他の通信端末装置とを近距離通信を介して接続する場合に、事前に特別な操作を行うことなくそれらの接続を確立することができ、実用効果の高いものとなる。
【図面の簡単な説明】
【００１８】
【図１】通信端末装置として、近距離通信機能付き腕時計に適用した場合を例示したもので、（１）は、この腕時計１の基本的な構成要素を示したブロック図、（２）は、腕時計１と近距離通信を介して接続される他の通信端末装置（近距離通信機能付き携帯電話機）２の基本的な構成要素を示したブロック図。
【図２】携帯電話機２側に設けられている識別情報テーブルＤＴを説明するための図。
【図３】腕時計１の全体動作の概要を示したフローチャート。
【図４】携帯電話機２の全体動作の概要を示したフローチャート。
【図５】第２実施形態において腕時計１の全体動作の概要を示したフローチャート。
【図６】第２実施形態において携帯電話機２の全体動作の概要を示したフローチャート。
【図７】第３実施形態において腕時計１の基本的な構成要素を示したブロック図。
【図８】第３実施形態において腕時計１の全体動作の概要を示したフローチャート。
【図９】第４実施形態において腕時計１の全体動作の概要を示したフローチャート。
【発明を実施するための形態】
【００１９】
（実施形態１）
以下、図１〜図４を参照して本発明の第１実施形態を説明する。
本実施形態は、通信端末装置として、近距離通信機能付き腕時計に適用した場合を例示したもので、図１（１）は、この腕時計１の基本的な構成要素を示したブロック図、（２）は、腕時計１と近距離通信を介して接続される他の通信端末装置（近距離通信機能付き携帯電話機）２の基本的な構成要素を示したブロック図である。
腕時計１は、図１（１）に示すように構成されている。すなわち、腕時計１は、計時機能のほかに、近距離通信機能を有する構成で、その制御部１１は、太陽電池などを備えた電池部１２からの電力供給によって動作し、記憶部１３内の各種のプログラムに応じてこの腕時計１の全体動作を制御する中央演算処理装置やメモリ（図示省略）などを有している。
【００２０】
腕時計１の記憶部１３には、図３に示した動作手順に応じて本実施形態を実現するためのプログラムや各種のアプリケーションなどが格納されているほか、それに必要とする情報として、自己の識別情報（例えば、製造番号、ユーザ設定情報）ＤＭが記憶されている。なお、記憶部１３は、例えば、ＳＤカード、ＩＣカードなど、着脱自在な可搬型メモリ（記録メディア）を含む構成であってもよい。表示部１４は、高精細液晶を使用し、例えば、時刻情報、文字情報、画像情報などを表示する。操作部１５は、時刻調整ボタンや、コマンド入力ボタンなどを有し、制御部１１は、この操作部１５からの入力操作信号に応じた処理を実行する。時計部１６は、現在日時を計時するもので、表示部１４からデジタル表示又は指針表示される。
【００２１】
移動検出部１７は、ユーザが腕時計１を腕に装着するために手に取ったり、腕時計１を装着した状態で歩き始めたりするという自然な行動（腕時計１の移動）を腕時計１の状態の変化として検出するもので、腕時計１の状態の変化（腕時計１の移動）に応じて加わる振動状態を検出する３軸タイプの加速度センサ（３軸方向振動センサ）を有し、この加速度センサによる振動状態によって腕時計１の移動開始を検出するようにしている。なお、移動検出部１７は、速度センサ、歩行センサによって腕時計１の移動開始を検出するようにしてもよい。近距離通信部１８は、アンテナＡＴ１を有し、通常、一緒に携帯所持する携帯電話機（他の通信端末装置）２との間において非接触タイプのBluetooth（登録商標）による近距離通信を行うもので、その通信可能エリア内（例えば、半径５ｍ以内）で交信が可能となっている。なお、近距離通信部１８は、Bluetooth（登録商標）通信に限らず、赤外線通信、非接触ＩＣカードによる通信などであってもよい。
【００２２】
この移動検出部１７が腕時計１の移動開始を検出すると、制御部１１は、近距離通信部１８を駆動させ、近距離通信を介して携帯電話機（他の通信端末装置）２との接続の準備を行ったのち、その接続準備が完了したか否かを判別し、接続準備が完了した場合に、当該接続を確立するようにしている。この場合、腕時計１は、その識別情報（例えば、製造番号、ユーザ設定情報など）の発信を接続の準備として行い、この識別情報が携帯電話機２に受信されることによって当該携帯電話機２から近距離通信の接続許可が返信された場合に、この接続許可の返信を条件に接続準備が完了したと判別して当該接続を確立するようにしている。
【００２３】
携帯電話機２は、図１（２）に示すように構成されている。すなわち、携帯電話機２は、音声通話機能、電子メール機能、インターネット接続機能（Ｗｅｂアクセス機能）、近距離通信機能などが備えられている。携帯電話機２の制御部２１は、二次電池（図示省略）を備えた電池部２２からの電力供給によって動作し、記憶部２３内の各種のプログラムに応じてこの携帯電話機２の全体動作を制御する中央演算処理装置やメモリ（図示省略）などを有している。記憶部２３には、図４に示した動作手順に応じて本実施形態を実現するためのプログラムや各種のアプリケーションなどが格納されているほか、それに必要とする情報として、後述する識別情報テーブルＤＴなどが記憶されている。なお、記憶部２３は、例えば、ＳＤカード、ＩＣカードなど、着脱自在な可搬型メモリ（記録メディア）を含む構成であってもよい。表示部２４は、高精細液晶を使用し、例えば、文字情報、画像情報などを表示する。操作部２５は、ダイヤル入力、文字入力、コマンド入力などを入力するもので、制御部２１は、この操作部２５からの入力操作信号に応じた処理を実行する。
【００２４】
通信部２６は、図示しない無線部、ベースバンド部、多重分離部などを備え、例えば、通話機能、電子メール機能、インターネット接続機能などの動作時に、最寄りの基地局（図示省略）との間でデータの送受信を行うもので、通話機能の動作時にはベースバンド部の受信側から信号を取り込んで受信ベースバンド信号に復調したのち、電話部２７を介して通話用スピーカＳＰから音声出力させ、また、通話用マイクＭＣからの入力音声データを電話部２７から取り込み、送信ベースバンド信号に符号化したのち、ベースバンド部の送信側に与えてアンテナＡＴ２から発信出力させる。
【００２５】
移動検出部２８は、ユーザが携帯電話機２を携帯所持するために手に取ったり、携帯電話機２を携帯した状態で歩き始めたりするという自然な行動（携帯電話機２の移動）を携帯電話機２の状態の変化として検出するもので、携帯電話機２の状態の変化（携帯電話機２の移動）に応じて加わる振動状態を検出する３軸タイプの加速度センサ（３軸方向振動センサ）を有し、この加速度センサによる振動状態によって携帯電話機２の移動開始を検出するようにしている。なお、移動検出部２８は、速度センサ、歩行センサによって携帯電話機２の移動開始を検出するようにしてもよい。近距離通信部２９は、アンテナＡＴ３を有し、通常、一緒に携帯所持する腕時計１との間において非接触タイプのBluetooth（登録商標）による近距離通信を行うもので、その通信可能エリア内（例えば、半径５ｍ以内）で交信が可能となっている。なお、近距離通信部２９は、Bluetooth（登録商標）通信に限らず、赤外線通信、非接触ＩＣカードによる通信などであってもよい。
【００２６】
図２は、携帯電話機２側に設けられている識別情報テーブルＤＴを説明するための図である。
識別情報テーブルＤＴは、携帯電話機２に近距離通信を介して接続される腕時計１に関する情報を複数の腕時計１に対応付けて記憶するもので、腕時計１毎にその「識別情報」、「通信手段」、「利用可能機能」を記憶する構成となっている。「識別情報」は、腕時計１の製造番号などの識別情報を示し、「通信手段」は、腕時計１の近距離通信部としてBluetooth（登録商標）通信であるか、赤外線通信であるかを示している。「利用可能機能」は、携帯電話機２側の各種機能のうち、腕時計１でも利用可能な機能を示している。なお、“メール着信”は、携帯電話機２側で着信したメールを腕時計１に送信して表示させて閲覧可能とする機能である。同様に、“アドレス帳”は、携帯電話機２側に登録されているアドレス帳を腕時計１に送信して表示させて閲覧可能とする機能である。“スケジュール”は、携帯電話機２側に登録されているスケジュールデータを腕時計１に送信して表示させて閲覧可能とする機能である。
【００２７】
次に、この第１実施形態における腕時計１、携帯電話機２の動作概念を図３、図４に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００２８】
図３は、腕時計１の全体動作の概要を示したフローチャートである。図４は、携帯電話機２の全体動作の概要を示したフローチャートである。
先ず、腕時計１において制御部１１は、電源を投入する電源オン操作が行われると、電源供給を開始させて所定のメモリなどを初期化する初期化処理を実行したのち（図３のステップＡ１）、携帯電話機２と接続中であるか否かを調べたり（ステップＡ２）、何らかの操作が行われたか否かを調べたりする（ステップＡ３〜Ａ５）。この状態において、携帯電話機２との接続が未確立で携帯電話機２に接続中でなければ（ステップＡ２でＮＯ）、移動検出部１７によって腕時計１の移動開始が検出されたかを調べる（ステップＡ６）。いま、その移動開始が検出されなければ（ステップＡ６でＮＯ）、上述のステップＡ２に戻るが、腕時計１の移動開始が検出されたときには（ステップＡ６でＹＥＳ）、近距離通信部１８を駆動して、記憶部１３から自己の識別情報ＤＭを読み出すと共に、近距離通信接続の準備として、この識別情報を近距離通信部１８から発信させる（ステップＡ７）。
【００２９】
一方、携帯電話機２において、制御部２１は、電源を投入する電源オン操作が行われると、電源供給を開始させて所定のメモリなどを初期化して受信の待ち受け状態となる（図４のステップＢ１）。この状態において、腕時計１に接続中であるか否かを調べたり（ステップＢ２）、何らかの操作が行われたか否かを調べたりする（ステップＢ３〜Ｂ５）。ここで、腕時計１との接続が未確立で腕時計１に接続中でなければ（ステップＢ２でＮＯ）、移動検出部２８によって携帯電話機２の移動開始が検出されたかを調べる（ステップＢ６）。いま、その移動開始が検出されなければ（ステップＢ６でＮＯ）、上述のステップＢ２に戻るが、携帯電話機２の移動開始が検出されたときには（ステップＢ６でＹＥＳ）、近距離通信部２９を駆動し、腕時計１から発信される識別情報の受信を開始してその受信可能な状態とする（ステップＢ７）。
【００３０】
この状態において、腕時計１から発信された識別情報を携帯電話機２側で受信したかを調べ（ステップＢ８）、それを受信しなければ、上述のステップＢ２に戻るが、腕時計１の識別情報を受信したときには（ステップＢ８でＹＥＳ）、識別情報テーブルＤＴを参照し（ステップＢ９）、受信した識別情報は、識別情報テーブルＤＴに登録されている識別情報のいずれかに合致するかを調べる（ステップＢ１０）。いま、いずれの識別情報にも合致していなければ（ステップＢ１０でＮＯ）、上述のステップＢ２に戻るが、いずれかの識別情報に合致していれば（ステップＢ１０でＹＥＳ）、腕時計１に対して接続許可を示す信号を発信するほか（ステップＢ１１）、通信速度などの情報を相互に交換しながら腕時計１との近距離通信を確立したのち（ステップＢ１２）、上述のステップＢ２に戻る。
【００３１】
ここで、腕時計１側では、上述したように自己の識別情報を発信させたのち（図３のステップＡ７）、携帯電話機２から発信される接続許可信号を受信したかを調べ（ステップＡ８）、それを受信しなければ（ステップＡ８でＮＯ）、上述のステップＡ２に戻るが、携帯電話機２からの接続許可信号を受信したときには（ステップＡ８でＹＥＳ）、通信速度などの情報を相互に交換しながら携帯電話機２との近距離通信を確立したのち（ステップＡ９）、上述のステップＡ２に戻る。
【００３２】
このように腕時計１側では、携帯電話機２との通信接続が確立されている状態（接続中の状態）において（図３のステップＡ２でＹＥＳ）、携帯電話機２との通信操作が行われると（ステップＡ３でＹＥＳ）、その通信内容に応じた処理の実行に移る（ステップＡ１０）。同様に、携帯電話機２側でも、腕時計１との通信接続が確立されている状態（接続中の状態）において（図４のステップＢ２でＹＥＳ）、腕時計１との通信操作が行われると（ステップＢ３でＹＥＳ）、その通信内容に応じた処理の実行に移る（ステップＢ１３）。例えば、腕時計１毎に決められている「利用可能機能」の範囲内において、“メール着信”の機能が選択された場合には、携帯電話機２側で着信したメールを腕時計１に送信して表示させて閲覧可能としたり、“アドレス帳”の機能が選択された場合には、携帯電話機２側に登録されているアドレス帳を腕時計１に送信して表示させて閲覧可能としたり、“スケジュール”
の機能が選択された場合には、携帯電話機２側に登録されているスケジュールデータを腕時計１に送信して表示させて閲覧可能としたりする。
【００３３】
また、腕時計１側では、携帯電話機２との接続中に（図３のステップＡ２でＹＥＳ）、携帯電話機２との切断操作が行われたときには（ステップＡ４でＹＥＳ）、その近距離通信を切断する処理の実行に移る（ステップＡ１１）。また、その他の操作が行われたときには（ステップＡ５でＹＥＳ）、操作に応じた処理として、メール表示画面、アドレス帳表示画面などを消去して時刻表示に切り替えたりする画面切り換え処理や時刻修正処理などを行う（ステップＡ１２）。同様に、携帯電話機２側でも、腕時計１との接続中に（図４のステップＢ２でＹＥＳ）、腕時計１との切断操作が行われたときには（ステップＢ４でＹＥＳ）、その近距離通信を切断する処理の実行に移る（ステップＢ１４）。また、その他の操作が行われたときには（ステップＢ５でＹＥＳ）、その操作に応じた処理として、電話・メール発着信処理などを行う（ステップＢ１５）。
【００３４】
以上のように、第１実施形態において腕時計１は、その状態の変化を検出すると、近距離通信部１８を駆動させ、近距離通信を介して携帯電話機（他の通信端末装置）２との接続の準備を行ったのち、その接続準備が完了したか否かを判別し、接続準備が完了した場合に、当該接続を確立するようにしたので、腕時計１と携帯電話機２とを近距離通信を介して接続する場合に、複数個の腕時計１をファッションや使用目的などに応じて使い分けたとしても、使用する腕時計を変える毎に携帯電話機２との接続を設定する特別な操作を行うことなくそれらの接続を確立することができ、実用効果の高いものとなる。
【００３５】
腕時計１の識別情報の発信を接続の準備として行い、発信した識別情報が携帯電話機２で受信されたのち、携帯電話機２から近距離通信の接続許可が返信された場合に準備が完了したと判別するようにしたことで、携帯電話機２との近距離通信の接続を素早く確立することができる。
【００３６】
腕時計１は、その移動をその状態の変化として検出するようにしたので、例えば、ユーザが腕時計１を腕に装着するために手に取ったり、腕時計１を装着した状態で歩き始めたりするという自然な行動（腕時計１の移動）を行うだけで、携帯電話機２との接続を確立することができる。
【００３７】
携帯電話機２は、腕時計１の状態変化に応じて発信される腕時計１の当該識別情報を受信した場合に、識別情報テーブルＤＴを参照し、受信した識別情報が登録されている識別情報に合致すれば、近距離通信を介して腕時計１との接続を確立するようにしたことで、腕時計１と携帯電話機２とを近距離通信を介して接続する場合に、複数個の腕時計１をファッションや使用目的などに応じて使い分けたとしても、使用する腕時計１を変える毎に携帯電話機２との接続を設定する特別な操作を行うことなくそれらの接続を確立することができ、実用効果の高いものとなる。
【００３８】
携帯電話機２は、その移動をその状態の変化として検出した場合に、腕時計１からの識別情報の受信するようにしたので、例えば、ユーザが携帯電話機２を携帯するために手に取ったり、携帯電話機２を携帯した状態で歩き始めたりするという自然な行動（携帯電話機２の移動）を行うだけで、携帯電話機２を利用中と判断して腕時計１からの識別情報の受信を行うことができ、無駄な電力の消費を避けることができる点でも有利なものとなる。
【００３９】
なお、上述した第１実施形態において腕時計１側の移動検出部１７及び携帯電話機２側の移動検出部２８を加速度センサによって構成してその移動を検出するようにしたが、加速度センサに限らず、上述したように、速度センサ、歩行センサなどであってよく、また、ＧＰＳ（Global Positioning System）受信部によって取得した位置情報からその移動を検出したり、気圧の変化などを検出したりするようにしてもよい。
【００４０】
上述した第１実施形態において携帯電話機２は、その移動を携帯電話機２の状態の変化として検出した場合に腕時計１からの識別情報の受信するようにしたが（図４のステップＢ６、Ｂ７）、携帯電話機２は、その移動検出を条件とせずに、常時、腕時計１からの識別情報を受信可能としてもよい。
【００４１】
（実施形態２）
以下、本発明の第２実施形態について図５及び図６を参照して説明する。
なお、上述した第１実施形態においては、腕時計１の識別情報の発信を接続の準備として行い、発信した識別情報が携帯電話機２で受信されたのち、携帯電話機２から近距離通信の接続許可が返信された場合に準備が完了したと判別するようにしたが、この第２実施形態における腕時計１は、近距離通信が可能状態にあることを示す通知情報の発信を接続の準備として行い、発信した通知情報が携帯電話機２に受信されることによって当該携帯電話機２から発信された識別信号の送信要求に応答して、腕時計１の識別信号を発信したのち、携帯電話機２から近距離通信の接続許可近距離通信の接続許可信号が返信された場合に、この接続許可を条件に接続準備が完了したと判別するようにしたものである。ここで、両実施形態において基本的あるいは名称的に同一のものは、同一符号を付して示し、その説明を省略すると共に、以下、第２実施形態の特徴部分を中心に説明するものとする。なお、第２実施形態において、腕時計１、携帯電話機２の構成は、上述した図１（１）、（２）と同様であり、携帯電話機２側に設けられている識別情報テーブルＤＴも図２と同様である。
【００４２】
図５は、第２実施形態において腕時計１の全体動作の概要を示したフローチャートである。図６は、第２実施形態において携帯電話機２の全体動作の概要を示したフローチャートである。
先ず、腕時計１において制御部１１は、上述した第１実施形態と同様に、電源オン操作が行われると、初期化処理を実行したのち（図５のステップＣ１）、携帯電話機２と接続中であるか否かを調べたり（ステップＣ２）、何らかの操作が行われたか否かを調べたりする（ステップＣ３〜Ｃ５）。この状態において、携帯電話機２との接続が未確立で携帯電話機２に接続中でなければ（ステップＣ２でＮＯ）、腕時計１の移動開始が検出されたかを調べる（ステップＣ６）。いま、その移動開始が検出されなければ（ステップＣ６でＮＯ）、上述のステップＣ２に戻るが、腕時計１の移動開始が検出されたときには（ステップＣ６でＹＥＳ）、近距離通信接続の準備として、その通信接続が可能な状態にあることを示す接続可能通知情報を発信する（ステップＣ７）。
【００４３】
一方、携帯電話機２において制御部２１は、上述した第１実施形態と同様に、電源オン操作が行われると、待ち受け状態となる（図６のステップＤ１）。この状態において、腕時計１に接続中であるか否かを調べたり（ステップＤ２）、何らかの操作が行われたか否かを調べたりする（ステップＤ３〜Ｄ５）。ここで、腕時計１との接続が未確立で腕時計１に接続中でなければ（ステップＤ２でＹＥＳ）、携帯電話機２の移動開始が検出されたかを調べる（ステップＤ６）。
【００４４】
いま、携帯電話機２の移動開始が検出されなければ（ステップＤ６でＮＯ）、上述のステップＤ２に戻るが、携帯電話機２の移動開始が検出されたときには（ステップＤ６でＹＥＳ）、近距離通信部２９を駆動し、腕時計１から発信される情報の受信を開始してその受信可能な状態とする（ステップＤ７）。この状態において、腕時計１から発信された接続可能通知情報を携帯電話機２側で受信したかを調べ（ステップＤ８）、それを受信しなければ（ステップＤ８でＮＯ）、上述のステップＤ２に戻るが、接続可能通知情報を受信したときには（ステップＤ８でＹＥＳ）、腕時計１に対してその識別信号の送信要求を発信する（ステップＤ９）。
【００４５】
ここで、腕時計１は、上述のように接続可能通知情報を発信したのちは（図５のステップＣ７）、携帯電話機２から識別信号の送信要求を受信したかを調べ（ステップＣ８）、それを受信しなければ（ステップＣ８でＮＯ）、上述のステップＣ２に戻るが、識別信号送信要求を受信したときには（ステップＣ８でＹＥＳ）、記憶部１３から自己の識別情報ＤＭを読み出し、この識別情報を近距離通信部１８から発信させる（ステップＣ９）。
【００４６】
携帯電話機２は、上述のように腕時計１に対してその識別信号送信要求を発信したのちは（図６のステップＤ９）、それに応答して腕時計１からその識別情報を受信したかを調べ（ステッＤ１０）、それを受信しなければ（ステップＤ１０でＮＯ）、上述のステップＤ２に戻るが、腕時計１の識別情報を受信したときには（ステップＤ１０でＹＥＳ）、識別情報テーブルＤＴを参照し（ステップＤ１１）、受信した識別情報は、識別情報テーブルＤＴに登録されている識別情報のいずれかに合致するかを調べる（ステップＤ１２）。いま、いずれの識別情報にも合致していなければ（ステップＤ１２でＮＯ）、上述のステップＤ２に戻るが、いずれかの識別情報に合致していれば（ステップＤ１２でＹＥＳ）、腕時計１に対して接続許可を示す信号を発信すると共に（ステップＤ１３）、腕時計１との近距離通信を確立したのち（ステップＤ１４）、上述のステップＤ２に戻る。
【００４７】
ここで、腕時計１側では、上述したように自己の識別情報を読み出して発信させたのちは（図５のステップＣ９）、それに応答して携帯電話機２からの接続許可信号を受信したかを調べ（ステップＣ１０）、接続許可信号を受信しなければ（ステップＣ１０でＮＯ）、上述のステップＣ２に戻るが、携帯電話機２からの接続許可信号を受信したときには（ステップＣ１０でＹＥＳ）、携帯電話機２との近距離通信を確立したのち（ステップＣ１１）、上述のステップＣ２に戻る。
【００４８】
このように腕時計１側では、携帯電話機２との通信接続が確立されている状態（接続中の状態）において（図５のステップＣ２でＹＥＳ）、携帯電話機２との通信操作が行われると（ステップＣ３でＹＥＳ）、その通信内容に応じた処理の実行に移る（ステップＣ１２）。同様に、携帯電話機２側では、腕時計１との通信接続が確立されている状態（接続中の状態）において（図６のステップＤ２でＹＥＳ）、腕時計１との通信操作が行われると（ステップＤ３でＹＥＳ）、その通信内容に応じた処理の実行に移る（ステップＤ１５）。
【００４９】
また、腕時計１側では、携帯電話機２との接続中に（図５のステップＣ２でＹＥＳ）、携帯電話機２との切断操作が行われたときには（ステップＣ４でＹＥＳ）、その近距離通信を切断する処理の実行に移る（ステップＣ１３）。また、その他の操作が行われたときには（ステップＣ５でＹＥＳ）、その操作に応じた処理を行う（ステップＣ１４）。同様に、携帯電話機２側では、腕時計１との接続中に（図６のステップＤ２でＹＥＳ）、腕時計１との切断操作が行われた場合には（ステップＤ４でＹＥＳ）、その近距離通信を切断する処理の実行に移る（ステップＤ１６）。また、その他の操作が行われたときには（ステップＤ５でＹＥＳ）、その操作に応じた処理を行う（ステップＤ１７）。
【００５０】
以上のように、第２実施形態において腕時計１は、近距離通信が可能状態にあることを示す通知情報の発信を接続の準備として行い、発信した通知情報が携帯電話機２に受信されることによって当該携帯電話機２から発信された識別信号の送信要求に応答して、腕時計１の識別信号を発信したのち、携帯電話機２から近距離通信の接続許可近距離通信の接続許可信号が返信された場合に、この接続許可を条件に接続準備が完了したと判別するようにしたので、上述した第１実施形態と同様に、腕時計１と携帯電話機２とを近距離通信を介して接続する場合に、複数個の腕時計１をファッションや使用目的などに応じて使い分けたとしても、使用する腕時計を変える毎に携帯電話機２との接続を設定する特別な操作を行うことなくそれらの接続を確立することができ、実用効果が高くなるほか、腕時計１がその識別情報をいきなり発信することで他の通信端末装置が当該識別情報を不用意に取得するという事態を防ぐこともできる。
【００５１】
腕時計１は、その移動を腕時計１の状態の変化として検出するようにしたので、例えば、ユーザが腕時計１を腕に装着するために手に取ったり、腕時計１を装着した状態で歩き始めたりするという自然な行動（腕時計１の移動）を行うだけで携帯電話機２との接続を確立することができる。
【００５２】
携帯電話機２は、腕時計１の状態変化に応じて発信される腕時計１の当該識別情報を受信した場合に、識別情報テーブルＤＴを参照し、受信した識別情報が識別情報テーブルＤＴに登録されている識別情報に合致すれば、近距離通信を介して腕時計１との接続を確立するようにしたので、腕時計１と携帯電話機２とを近距離通信を介して接続する場合に、複数個の腕時計１をファッションや使用目的などに応じて使い分けたとしても、使用する腕時計１を変える毎に携帯電話機２との接続を設定する特別な操作を行うことなくそれらの接続を確立することができ、実用効果の高いものとなる。
【００５３】
なお、上述した第２実施形態においても、腕時計１側の移動検出部１７及び携帯電話機２側の移動検出部２８は、加速度センサに限らず、速度センサ、歩行センサなどであってよく、また、ＧＰＳ受信部によって取得した位置情報からその移動を検出したり、気圧の変化などによって検出したりするようにしてもよい。また、携帯電話機２は、その移動を携帯電話機２の状態の変化として検出した場合に腕時計１からの識別情報を受信するようにしたが（図６のステップＤ６、Ｄ７）、携帯電話機２は、その移動検出を条件とせずに、常時、腕時計１からの識別情報を受信可能としてもよい。
【００５４】
（実施形態３）
以下、本発明の第３実施形態について図７及び図８を参照して説明する。
なお、上述した第１実施形態においては、腕時計１の状態の変化として、腕時計１の移動開始を検出するようにしたが、この第３実施形態においては、腕時計１の状態の変化として、腕時計１の人体への装着を検出したり、人体からの装着解除を検出したりするようにしたものである。この場合、人体への装着を検出した際には、携帯電話機２への近距離通信接続の準備として、腕時計１の識別情報を発信し、人体の装着解除を検出した際には、携帯電話機２への近距離通信の接続を切断するようにしている。
【００５５】
ここで、第１・第３の両実施形態において基本的あるいは名称的に同一のものは、同一符号を付して示し、その説明を省略すると共に、以下、第３実施形態の特徴部分を中心に説明するものとする。なお、第３実施形態において、携帯電話機２の構成は、上述した図１（２）と同様であり、携帯電話機２側に設けられている識別情報テーブルＤＴも図２と同様である。また、携帯電話機２の動作は、図４のフローチャートと同様である。
【００５６】
図７は、第３実施形態において携帯電話機２と近距離通信を介して接続される腕時計１の基本的な構成要素を示したブロック図である。
この第３実施形態の腕時計１も図１（１）と基本的には同様の構成で、制御部１１、電源部１２、記憶部１３、表示部１４、操作部１５、時計部１６、近距離通信部１８を有するほか、図１（１）で示した移動検出部１７に代わって人体装着検出部１９を有する構成となっている。人体装着検出部１９は、腕時計１の状態の変化として、腕時計１が腕に装着されたかポケット内に入れられたかなど、腕時計１の人体への装着を検出するもので、例えば、温度センサ、接触センサ、脈拍センサ、機械的スイッチ、明度センサによって腕時計１が人体に装着されているかに関する情報（温度、接触の有無、機械的スイッチのオン／オフ、明度など）を検出するもので、この装着検出部１９によって腕時計１の人体への装着が検出されると、制御部１１は、近距離通信部１８を駆動させ、近距離通信を介して携帯電話機２との接続準備を行ったのち、その接続準備が完了したか否かを判別し、接続準備の完了に応じて当該接続を確立するようにしている。
【００５７】
図８は、第３実施形態において腕時計１の全体動作の概要を示したフローチャートである。
先ず、腕時計１において制御部１１は、電源オン操作が行われると、初期化処理を実行したのち（図８のステップＥ１）、携帯電話機２と接続中であるか否かを調べたり（ステップＥ２）、何らかの操作が行われたかを調べたり（ステップＥ３、Ｅ４、Ｅ６）、人体からの装着解除が検出されたかを調べたりする（ステップＥ５）。この状態において、携帯電話機２との接続が未確立で携帯電話機２に接続中でなければ（ステップＥ２でＮＯ）、装着検出部１９によって人体への装着が検出されたかを調べ（ステップＥ７）、人体への装着が検出されなければ（ステップＥ７でＮＯ）、上述のステップＥ２に戻る。
【００５８】
また、腕時計１が腕に装着されたかポケット内に入れられたかなど、人体への装着が検出されたときには（ステップＥ７でＹＥＳ）、記憶部１３から自己の識別情報ＤＭを読み出し、近距離通信接続の準備として、この識別情報を発信させる（ステップＥ８）。このように腕時計１の識別情報の発信を接続の準備として行い、発信した識別情報が携帯電話機２で受信されたのち、携帯電話機２から近距離通信の接続許可が返信されてきたときには（ステップＥ９でＹＥＳ）、携帯電話機２との近距離通信を確立したのち（ステップＥ１０）、上述のステップＥ２に戻る。
【００５９】
このように腕時計１側では、携帯電話機２との通信接続が確立されている状態（接続中の状態）において（ステップＥ２でＹＥＳ）、携帯電話機２との通信操作が行われると（ステップＥ３でＹＥＳ）、その通信内容に応じた処理の実行に移る（ステップＥ１１）。また、携帯電話機２との切断操作が行われると（ステップＥ４でＹＥＳ）、その近距離通信を切断する処理の実行に移る（ステップＥ１２）。また、装着検出部１９によって人体への装着解除が検出されたときにも（ステップＥ５でＹＥＳ）、その近距離通信を切断する処理の実行に移る（ステップＥ１２）。また、その他の操作が行われたときには（ステップＥ６でＹＥＳ）、その操作に応じた処理を行う（ステップＥ１３）。
【００６０】
以上のように、この第３実施形態において腕時計１は、腕時計１の状態の変化として、装着検出部１９によって腕時計１の人体への装着を検出した際に、近距離通信接続の準備として、その識別情報を発信するようにしたので、腕時計１を人体に装着するという自然な動作を行うだけで、携帯電話機２との通信接続を確立させることができる。
【００６１】
携帯電話機２との接続が確立されている状態で、装着検出部１９によって腕時計１の人体への装着解除を検出した際に、その接続を切断するようにしたので、人体との装着を解除するという自然な動作を行うだけで携帯電話機２との接続を確実かつ容易に切断することができる。
【００６２】
（実施形態４）
以下、本発明の第４実施形態について図９を参照して説明する。
なお、この第４実施形態では上述した第２実施形態と同様に、腕時計１は、近距離通信が可能状態にあることを示す通知情報の発信を接続の準備として行うほかに、上述した第３実施形態と同様に、腕時計１の状態の変化として腕時計１の人体への装着を検出したり、人体からの装着解除を検出したりするようにしたものである。すなわち、第４実施形態は、腕時計１の状態の変化として腕時計１の人体への装着を検出した場合に、携帯電話機２との接続の準備として、近距離通信が可能状態にあることを示す通知情報を発信するようにしたものである。
【００６３】
ここで、第１・第４の両実施形態において基本的あるいは名称的に同一のものは、同一符号を付して示し、その説明を省略すると共に、以下、第４実施形態の特徴部分を中心に説明するものとする。なお、第４実施形態において、腕時計１の構成は、上述した図７と同様であり、携帯電話機２の構成は、上述した図１（２）と同様である。また、携帯電話機２側に設けられている識別情報テーブルＤＴも図２と同様であり、携帯電話機２の動作は、図６のフローチャートと同様である。
【００６４】
図９は、第４実施形態において腕時計１の全体動作の概要を示したフローチャートである。
先ず、腕時計１において制御部１１は、電源オン操作が行われると、初期化処理を実行したのち（ステップＦ１）、携帯電話機２と接続中であるか否かを調べたり（ステップＦ２）、何らかの操作が行われたかを調べたり（ステップＦ３、Ｆ４、Ｆ６）、人体からの装着解除が検出されたかを調べたりする（ステップＦ５）。この状態において、携帯電話機２との接続が未確立で携帯電話機２に接続中でなければ（ステップＦ２でＮＯ）、装着検出部１９によって人体への装着が検出されたかを調べ（ステップＦ７）、人体への装着が検出されなければ（ステップＦ７でＮＯ）、上述のステップＦ２に戻るが、人体への装着が検出されたときには（ステップＦ７でＹＥＳ）、近距離通信接続の準備として、その通信接続が可能な状態にあることを示す接続可能通知情報を発信する（ステップＦ８）。
【００６５】
このように腕時計１は、接続可能通知情報を発信したのちは（ステップＦ８）、それに応答して携帯電話機２から識別信号の送信要求を受信したかを調べ（ステップＦ９）、それを受信しなければ（ステップＦ９でＮＯ）、上述のステップＦ２に戻るが、識別信号送信要求を受信したときには（ステップＦ９でＹＥＳ）、記憶部１３から自己の識別情報ＤＭを読み出し、この識別情報を近距離通信部１８から発信させる（ステップＦ１０）。そして、この識別情報の発信に応答して携帯電話機２側からの接続許可信号を受信したかを調べ（ステップＦ１１）、接続許可信号を受信しなければ（ステップＦ１１でＮＯ）、上述のステップＦ２に戻るが、携帯電話機２からの接続許可信号を受信したときには（ステップＦ１１でＹＥＳ）、携帯電話機２との近距離通信を確立したのち（ステップＦ１２）、上述のステップＦ２に戻る。
【００６６】
このように携帯電話機２との通信接続が確立されている状態（接続中の状態）において（ステップＦ２でＹＥＳ）、携帯電話機２との通信操作が行われたときには（ステップＦ３でＹＥＳ）、その通信内容に応じた処理の実行に移る（ステップＦ１３）。また、携帯電話機２との切断操作が行われたときには（ステップＦ４でＹＥＳ）、その近距離通信を切断する処理の実行に移る（ステップＦ１４）。また、装着検出部１９によって人体への装着解除が検出されたときにも（ステップＦ５でＹＥＳ）、その近距離通信を切断する処理の実行に移る（ステップＦ１４）。また、その他の操作が行われたときには（ステップＦ６でＹＥＳ）、その操作に応じた処理を行う（ステップＦ１５）。
【００６７】
以上のように、この第４実施形態において腕時計１は、腕時計１の状態の変化として腕時計１の人体への装着を検出した場合に、携帯電話機２との接続の準備として、近距離通信が可能状態にあることを示す通知情報の発信を行い、発信した通知情報が携帯電話機２に受信されることによって当該携帯電話機２から発信された識別信号の送信要求に応答して、腕時計１の識別信号を発信したのち、携帯電話機２から近距離通信の接続許可近距離通信の接続許可信号が返信された場合に、この接続許可を条件に接続準備が完了したと判別するようにしたので、腕時計１と携帯電話機２とを近距離通信を介して接続する場合に、複数個の腕時計１をファッションや使用目的などに応じて使い分けたとしても、使用する腕時計を変える毎に携帯電話機２との接続を設定する特別な操作を行うことなくそれらの接続を確立することができ、実用効果の高いものとなるほか、腕時計１がその識別情報をいきなり発信することによって不用意に他の通信端末装置に当該識別情報が取得されないようにすることもできる。
【００６８】
携帯電話機２との接続が確立されている状態で、装着検出部１９によって腕時計１の人体への装着解除を検出した際に、その接続を切断するようにしたので、人体との装着を解除するという自然な動作を行うだけで携帯電話機２との接続を確実かつ容易に切断することができる。
【００６９】
なお、上述した各実施形態においては、携帯端末装置として腕時計１を示したが、近距離通信機能を備えた電子装身具、携帯電話機、ＰＤＡ、デジタルカメラ、音楽プレイヤー、ゲーム機器それらの複合機などであってもよい。
また、上述した各実施形態においては、相手側の携帯端末装置として携帯電話機２を示したが、ＰＤＡ、デジタルカメラ、音楽プレイヤー、ゲーム機器、それらの複合機などであってもよい。
【符号の説明】
【００７０】
１  腕時計
２  携帯電話機
１１、２１  制御部
１３、２３  記憶部
１４、２４  表示部
１５、２５  操作部
１７、２８  移動検出部
１８、２９  近距離通信部
１９  人体装着検出部
ＤＴ  識別情報テーブル
【図１】
2010258561.tif 000003
【図２】
2010258561.tif 000004
【図３】
2010258561.tif 000005
【図４】
2010258561.tif 000006
【図５】
2010258561.tif 000007
【図６】
2010258561.tif 000008
【図７】
2010258561.tif 000009
【図８】
2010258561.tif 000010
【図９】
2010258561.tif 000011